(57)【要約】  ジッパクロージャ用のスライダは、セパレータプラウを含み、このセパレータプラウは、プラウを連結クロージャ間に位置決めするようにスライダの開口端部を切欠きに向かう方向に枢動させることによって、ジッパクロージャを開口するようにジッパクロージャの連結トラック間に位置決め可能である。スライダは、プラウが連結トラックの外側にあるように、スライダを枢動させることによって脱係合することができる。
2021529594.tif 000002
【特許請求の範囲】
【請求項１】
連結および脱連結するための相補的外形を備えた連結部材を有するジッパクロージャ用のスライダであって、
（ａ）  向かい合った開口端部および閉口端部と、
（ｂ）  上部材と、
（ｃ）  前記上部材から垂下する１対の離間した脚部であって、前記脚部間に開口容量部を画定して、前記脚部がトラックをまたいでいる状態で前記トラックが前記開口容量部の中を通過できるようにする、１対の離間した脚部と、
（ｄ）  前記スライダが前記ジッパクロージャに沿って閉口方向に移動するにつれて、前記閉口端部の付近で、前記相補的外形を押圧して連結関係にするように、互いに十分に近づいて離間されている内面と、
（ｅ）  前記開口端部から延びているセパレータプラウであって、前記スライダの前記開口端部を前記相補的外形に向かう方向に枢動させることによって、前記セパレータプラウが前記連結部材間にある位置であって、前記スライダが前記ジッパクロージャに沿って開口方向に移動するにつれて連結している前記相補的外形を分離させるような位置へと選択的に移動可能である、セパレータプラウと
を備えるスライダ。
【請求項２】
前記脚部のうちの少なくとも一方から反対側の脚部に向けて前記開口容量部へと延びている突起部をさらに含む、請求項１に記載のスライダ。
【請求項３】
前記突起部が、前記開口端部の付近にある、請求項２に記載のスライダ。
【請求項４】
少なくとも一方の脚部が、第１のトラック収容溝および第２のトラック収容溝を有し、前記第１のトラック収容溝と前記第２のトラック収容溝が、前記突起部によって分離されている、請求項２または３に記載のスライダ。
【請求項５】
前記第１のトラック収容溝および前記第２のトラック収容溝が、０°よりも大きく９０°よりも小さい角度で互いに対して角度付けされている、請求項４に記載のスライダ。
【請求項６】
前記第１のトラック収容溝および前記第２のトラック収容溝が、１０〜６０°の角度で互いに対して角度付けされている、請求項４に記載のスライダ。
【請求項７】
前記第１のトラック収容溝および前記第２のトラック収容溝が、２０〜４０°の角度で互いに対して角度付けされている、請求項４に記載のスライダ。
【請求項８】
前記突起部は、周縁部が三角形状である、請求項２から７のいずれか一項に記載のスライダ。
【請求項９】
前記内面が、前記脚部の内面を含み、前記セパレータプラウが、前記上部材から、前記脚部間の前記開口容量部へと延びている、請求項１から８のいずれか一項に記載のスライダ。
【請求項１０】
前記離間した脚部がそれぞれ、前記スライダを前記ジッパクロージャ上の操作位置に保持するように前記ジッパクロージャの外部分に係合するフックを自由端部に有する、請求項１から９のいずれか一項に記載のスライダ。
【請求項１１】
単一片として成形されている、請求項１から１０のいずれか一項に記載のスライダ。
【請求項１２】
前記閉口端部から、前記離間した脚部間に延びているばねタブをさらに備える、請求項１に記載のスライダ。
【請求項１３】
前記ばねタブが、前記上部材から１５〜４０°の範囲で角度付けされている、請求項１２に記載のスライダ。
【請求項１４】
前記ばねタブが、前記上部材から、前記離間した脚部の長さの７５％未満延びている、請求項１２または１３に記載のスライダ。
【請求項１５】
対小児安全スライダジッパクロージャシステムであって、
（ａ）  連結および脱連結するための相補的外形を有する雄トラックおよび雌トラックを備えた再閉口可能なジッパクロージャと、
（ｂ）  前記雄トラックおよび前記雌トラックに位置付けられており、前記ジッパクロージャの端部から一定距離、離間されている切欠きと、
（ｃ）  向かい合った開口端部および閉口端部を有し、前記ジッパクロージャに摺動可能に位置付けられているスライダと
を備え、前記スライダが、上部材と、前記上部材から垂下する１対の離間した脚部であって、前記脚部間に開口容量部を画定して、前記脚部が前記トラックをまたいでいる状態で前記トラックが前記開口容量部の中を通過できるようにする、１対の離間した脚部と、前記開口端部から延びているセパレータプラウであって、前記スライダが、前記セパレータプラウを連結部材間の位置へとまたは連結部材間の位置から外へと選択的に移動させるように、前記ジッパクロージャに対して枢動可能である、セパレータプラウとを含み、
（ｉ）  前記セパレータプラウは、前記スライダの前記開口端部を前記切欠きに向かう方向に枢動させることによって、前記トラックを分離させ前記ジッパクロージャを開口するように前記連結部材間に位置決め可能であり、
（ｉｉ）  前記セパレータプラウは、前記スライダの前記開口端部を前記切欠きから離れる方向で前記トラックの外側に枢動させることによって、前記トラックが分離しないように前記連結部材の外側に位置決め可能である、
対小児安全スライダジッパクロージャシステム。
【請求項１６】
（ａ）  前記スライダが、前記脚部のうちの少なくとも一方から、反対側の脚部に向けて前記開口容量部へと延びている突起部をさらに含み、
（ｂ）  前記セパレータプラウが、前記上部材から、前記脚部間の前記開口容量部へと延びており、
前記スライダが、前記セパレータプラウを前記連結部材間の位置へとまたは前記連結部材間の位置から外へと選択的に移動させるように枢動するとき、前記突起部は、前記セパレータプラウの変更した位置の触覚表示を与えるように、前記ジッパクロージャの外部分に当接して係合する、
請求項１５に記載のスライダジッパクロージャシステム。
【請求項１７】
前記スライダの前記少なくとも一方の脚部が、第１のトラック収容溝および第２のトラック収容溝を有し、前記第１のトラック収容溝と前記第２のトラック収容溝が、前記突起部によって分離されている、請求項１６に記載のスライダジッパクロージャシステム。
【請求項１８】
前記第１のトラック収容溝および前記第２のトラック収容溝が、０°よりも大きく９０°よりも小さい第１の角度で互いに対して角度付けされている、請求項１７に記載のスライダジッパクロージャシステム。
【請求項１９】
前記ジッパクロージャの両端部に、１対の端部止め具をさらに備える、請求項１５から１８のいずれか一項に記載のスライダジッパクロージャシステム。
【請求項２０】
前記端部止め具が、超音波溶接された終端部を含む、請求項１９に記載のジッパクロージャシステム。
【請求項２１】
前記端部止め具が、可撓性クリップを含む、請求項１９に記載のジッパクロージャシステム。
【請求項２２】
前記切欠きの付近にある、前記端部止め具のうちの第１の端部止め具が、前記第１の端部止め具の上部から、前記切欠きに向かう方向に、ゼロでなく直角でない角度で延びている角度の付いた面を有する、請求項１９から２１のいずれか一項に記載のジッパクロージャシステム。
【請求項２３】
（ａ）  前記スライダの前記少なくとも一方の脚部が、第１のトラック収容溝および第２のトラック収容溝を有し、前記第１のトラック収容溝と前記第２のトラック収容溝が、突起部によって分離されており、前記第１のトラック収容溝および前記第２のトラック収容溝が、０°よりも大きく９０°よりも小さい第１の角度で互いに対して角度付けされており、
（ｂ）  前記第１の端部止め具の前記角度の付いた面および前記第１の角度が、互いの１０°以内である、
請求項２２に記載のジッパクロージャシステム。
【請求項２４】
前記第１の端部止め具の前記角度の付いた面および前記第１の角度が、互いの０°〜５°以内である、請求項２３に記載のジッパクロージャシステム。
【請求項２５】
前記第１の端部止め具の前記角度の付いた面および前記第１の角度がそれぞれ、約２０〜４０°の間である、請求項２３に記載のジッパクロージャシステム。
【請求項２６】
（ａ）  前記スライダが、前記閉口端部から、前記離間した脚部間に延びているばねタブをさらに含み、
（ｂ）  前記セパレータプラウが、前記上部材から、前記脚部間の前記開口容量部へと延びており、
前記スライダが、前記セパレータプラウを前記連結部材間の位置へと選択的に移動させるように枢動するとき、前記ばねタブが、前記相補的外形のうちの少なくとも一方の上部に当接して係合し、それにより、使用者は、前記ばねタブの力に打ち勝つように連続的な力を前記スライダに与えて、前記セパレータプラウを前記連結部材間に維持しなくてはならない、
請求項１５に記載のジッパクロージャシステム。
【請求項２７】
前記ばねタブが、前記上部材から１５〜４０°の範囲で角度付けされている、請求項２６に記載のジッパクロージャシステム。
【請求項２８】
前記ばねタブが、前記上部材から、前記離間した脚部の長さの７５％未満延びている、請求項２６または２７に記載のジッパクロージャシステム。
【請求項２９】
開口可能かつ再閉口可能な口部を有するジッパ付きの袋を操作する方法であって、
（ａ）  ジッパ付きの袋を用意するステップであって、前記ジッパ付きの袋が、前記口部を形成する上部、底部、ならびに向かい合う第１のおよび第２の側面をそれぞれ有する第１のおよび第２のパネルと、連結および脱連結するための相補的外形を備えた連結部材を含む再閉口可能なジッパクロージャであって、相補的外形の一方が、前記第１のパネルの前記上部に近接しており、相補的外形の他方が、前記第２のパネルの前記上部に近接しており、前記相補的外形が、前記口部を閉口するように連結し、前記口部を開口するように脱連結し、前記ジッパクロージャが、前記第１の側面から一定距離、離間された切欠きを含む、ジッパクロージャと、前記ジッパクロージャに位置付けられたスライダであって、開口端部および反対側の閉口端部、上部材、ならびに前記上部材から垂下する１対の離間した脚部を有する、スライダとを有する、ステップと、
（ｂ）  （ｉ）  前記スライダを前記切欠きまで移動させることによって、
（ｉｉ）  前記スライダの前記開口端部においてセパレータプラウを前記連結部材間に位置決めするように、前記スライダの前記開口端部を前記切欠きに向かって枢動させることによって、および
（ｉｉｉ）  前記セパレータプラウが前記連結部材間にあるようにしながら、前記スライダを前記ジッパクロージャに沿って開口方向に移動させて、その結果、連結している前記相補的外形を分離させることによって、
前記口部を開口するステップと
を含む方法。
【請求項３０】
枢動させる前記ステップが、前記脚部のうちの一方から延びている突起部を前記ジッパクロージャの外部分にわたって移動させて、前記セパレータプラウが前記連結部材間の位置まで移動したという触覚表示を受け取るステップを含む、請求項２９に記載の方法。
【請求項３１】
（ａ）  スライダを前記ジッパクロージャに設ける前記ステップは、前記少なくとも一方の脚部が第１のトラック収容溝および第２のトラック収容溝を有する前記スライダを設けるステップであって、前記第１のトラック収容溝および前記第２のトラック収容溝が、前記突起部によって分離されている、ステップを含み、
（ｂ）  枢動させる前記ステップは、前記相補的外形が前記第２のトラック収容溝から前記第１のトラック収容溝に位置決めし直されるように前記スライダを移動させるステップを含む、
請求項３０に記載の方法。
【請求項３２】
スライダを前記ジッパクロージャに設ける前記ステップが、前記第１のトラック収容溝と前記第２のトラック収容溝との間に１０〜６０°の角度が存在する、前記スライダを設けるステップを含む、請求項３１に記載の方法。
【請求項３３】
前記スライダを前記ジッパクロージャに沿って前記切欠きに向かう閉口方向に移動させることによって、前記口部を閉口するステップをさらに含む、請求項２９から３２のいずれか一項に記載の方法。
【請求項３４】
（ａ）  前記スライダを前記切欠きまで移動させることによって、
（ｂ）  前記ジッパクロージャの端部に位置決めされた端部止め具に当接するように前記スライダの前記開口端部を係合することによって、および
（ｃ）  前記端部止め具を使用して、前記開口端部を前記切欠きから離して枢動させる枢動運動で前記スライダを誘導し、前記閉口端部が前記相補的外形に向かって枢動しながら前記セパレータプラウを雄トラックと雌トラックとの間から移動させることによって、
前記スライダが前記口部を開口することができないようにするステップをさらに含む、請求項３３に記載の方法。
【請求項３５】
ジッパ付きの袋を用意する前記ステップは、前記第１のおよび前記第２のパネルがそれぞれの底部、それぞれの第１の向かい合う側面、およびそれぞれの第２の向かい合う側面に沿って互いに接合している前記袋を用意するステップを含む、請求項２９から３４のいずれか一項に記載の方法。
【請求項３６】
枢動させる前記ステップが、前記スライダの前記上部材から前記連結部材間に延びている前記セパレータプラウを位置決めするステップを含む、請求項２９から３５のいずれか一項に記載の方法。
【請求項３７】
（ａ）  スライダを前記ジッパクロージャに設ける前記ステップは、ばねタブが、前記閉口端部から、前記離間した脚部間に延び、前記ばねタブが、前記相補的外形のうちの少なくとも一方の上部に対して力を加える、前記スライダを設けるステップを含み、
（ｂ）  前記スライダを前記ジッパクロージャに沿って開口方向に移動させる前記ステップは、前記ばねタブが前記相補的外形のうちの少なくとも一方の上部に対して加える前記力に打ち勝つように連続的な力を前記スライダに与えて、前記セパレータプラウを前記連結部材間に維持するステップを含む、
請求項２９に記載の方法。
【発明の詳細な説明】
【技術分野】
【０００１】
本出願は、ＰＣＴ国際特許出願として２０１９年７月１日に出願されており、２０１８年７月２日出願の米国特許出願第１６／０２５，６１６号および２０１８年７月３１日出願の米国特許出願第１６／０５１，０９０号に対する優先権を主張するものであり、それらの開示は、全体が参照により本明細書に組み込まれている。
【０００２】
本開示は、袋またはポーチとともに使用することができる再閉口可能なジッパクロージャ用のスライダに関する。より詳細には、本開示は、スライダ／ジッパクロージャに関し、ここではスライダは、揺動可能なまたは枢動する動作によって操作可能である。
【背景技術】
【０００３】
再閉口可能な可撓性パッケージは、様々な家庭用製品を保管するのに使用することができ、内容物を使い切るまで、取り出し、開口し、再閉口することができる。これらのパッケージの開口および再閉口は、大人も小児もともに容易である。これらのパッケージが、有害な可能性のある製品を含んでおり、低年齢の小児にとって手の届きやすいものである場合、手の届きやすさは、小児に対して危険性をもたらす。結果として、小児には袋の開口難易度を高めるようにしつつ、大人および高齢者には袋の開口に適度な手段をもたらす、再閉口可能なクロージャを提供する必要性がある。
【先行技術文献】
【特許文献】
【０００４】
【特許文献１】米国特許第５，４４２，８３８号
【特許文献２】米国特許第５，００７，１４３号
【発明の概要】
【発明が解決しようとする課題】
【０００５】
概して、従来技術を改良する、対小児安全スライダおよびクロージャシステムが提供される。
【課題を解決するための手段】
【０００６】
１つの態様においては、連結および脱連結するための相補的外形（ｃｏｍｐｌｅｍｅｎｔａｒｙ  ｐｒｏｆｉｌｅｓ）を備えた雄トラックおよび雌トラックを有するジッパクロージャ用のスライダが提供される。このスライダは、向かい合った開口端部および閉口端部と、上部材と、上部材から垂下する（ｄｅｐｅｎｄｉｎｇ  ｆｒｏｍ）１対の離間した脚部であって、脚部間に開口容量部を画定して、脚部がトラックをまたいでいる状態でトラックが開口容量部の中を通過できるようにする、１対の離間した脚部と、スライダがジッパクロージャに沿って閉口方向に移動するにつれて、閉口端部の付近で、外形を押圧して連結関係にするように、互いに十分に近づいて離間されている内面と、開口端部から延びているセパレータプラウ（ｓｅｐａｒａｔｏｒ  ｐｌｏｗ）とを含む。セパレータプラウは、スライダの開口端部を外形に向かう方向に枢動させることによって、セパレータプラウが連結部材間にある位置であって、スライダがジッパクロージャに沿って開口方向に移動するにつれて連結している相補的外形を分離させるような位置へと選択的に移動可能である。
【０００７】
スライダは、脚部のうちの少なくとも一方から反対側の脚部に向けて開口容量部へと延びている突起部をさらに含むことができる。
【０００８】
突起部は、開口端部の付近にあってもよい。
【０００９】
いくつかの実施形態においては、少なくとも一方の脚部は、第１のトラック収容溝および第２のトラック収容溝を有する。第１のトラック収容溝と第２のトラック収容溝は、突起部によって分離されている。
【００１０】
第１のトラック収容溝および第２のトラック収容溝は、０°よりも大きく９０°よりも小さい角度で互いに対して角度付けされ得る。
【００１１】
いくつかの実施形態においては、第１のトラック収容溝および第２のトラック収容溝は、１０〜６０°の角度で互いに対して角度付けされ得る。
【００１２】
いくつかの実施形態においては、第１のトラック収容溝および第２のトラック収容溝は、２０〜４０°の角度で互いに対して角度付けされ得る。
【００１３】
突起部は、いくつかの実装形態においては、周縁部が三角形状であってもよい。
【００１４】
いくつかの実施形態においては、外形を押圧して連結関係にする内面は、離間した脚部の内面を含むことができる。セパレータプラウは、上部材から、離間した脚部間の容量部へと延びている。
【００１５】
１つまたは複数の例示的な実施形態においては、離間した脚部はそれぞれ、スライダをジッパクロージャ上の操作位置に保持するようにジッパクロージャの外部分に係合するフックを自由端部に有する。
【００１６】
多くの実装形態においては、スライダは、単一片として成形されていてもよい。
【００１７】
いくつかの例示的な実施形態においては、スライダは、閉口端部から、離間した脚部間に延びているばねタブ（ｓｐｒｉｎｇ  ｔａｂ）を含む。
【００１８】
ばねタブは、上部材から１５〜４０°、たとえば２０〜３５°の範囲で角度付けされ得る。
【００１９】
１つまたは複数の実施形態においては、ばねタブは、上部材から、離間した脚部の長さの７５％未満延びている。
【００２０】
別の態様においては、対小児安全スライダクロージャシステムが提供される。このシステムは、連結および脱連結するための相補的外形を有する雄トラックおよび雌トラックを備えた再閉口可能なジッパクロージャを含む。切欠きが雄トラックおよび雌トラック内に位置付けられ、ジッパクロージャの端部から一定距離、離間されている。スライダが、ジッパクロージャに摺動可能に位置付けられ、向かい合った開口端部および閉口端部を有する。スライダは、上部材と、上部材から垂下する１対の離間した脚部とを含む。離間した脚部は、脚部間に開口容量部を画定して、脚部がトラックをまたいでいる状態でトラックが開口容量部の中を通過可能にし得る。セパレータプラウが、開口端部にある。スライダは、セパレータプラウを連結部材間の位置へとまたは連結部材間の位置から外へと選択的に移動させるように、ジッパクロージャに対して枢動可能である。セパレータプラウは、スライダの開口端部を切欠きに向かう方向に枢動させることによって、トラックを分離させジッパクロージャを開口するように連結部材間に位置決め可能である。セパレータプラウは、スライダの開口端部を切欠きから離れる方向でトラックの外側に枢動させることによって、トラックが分離しないように連結部材の外側に位置決め可能である。
【００２１】
例示的な実施形態においては、スライダは、脚部のうちの少なくとも一方から、反対側の脚部に向けて開口容量部へと延びている突起部をさらに含む。スライダは、セパレータプラウを連結部材間の位置へとまたは連結部材間の位置から外へと選択的に移動させるように枢動する。突起部は、セパレータプラウの変更した位置の触覚表示を与えるように、ジッパクロージャの外部分に当接して係合する。
【００２２】
スライダの少なくとも一方の脚部は、第１のトラック収容溝および第２のトラック収容溝を有することができ、第１のトラック収容溝と第２のトラック収容溝は、突起部によって分離されている。
【００２３】
例示的な実施形態においては、第１のトラック収容溝および第２のトラック収容溝は、０°よりも大きく９０°よりも小さい第１の角度で互いに対して角度付けされている。
【００２４】
１つまたは複数の例示的な実施形態においては、ジッパクロージャシステムは、ジッパクロージャの両端部に、１対の端部止め具をさらに含む。
【００２５】
いくつかの例においては、端部止め具は、超音波溶接された終端部を含む。
【００２６】
いくつかの例においては、端部止め具は、可撓性クリップを含む。
【００２７】
１つまたは複数の例示的な実施形態においては、切欠きの付近にある、端部止め具のうちの第１の端部止め具は、第１の端部止め具の上部から、切欠きに向かう方向に、ゼロでなく直角でない角度で延びている角度の付いた面を有する。
【００２８】
いくつかの例においては、第１の端部止め具の角度の付いた面および第１の角度は、互いの１０°以内である。
【００２９】
いくつかの例においては、第１の端部止め具の角度の付いた面および第１の角度は、互いの０〜５°以内である。
【００３０】
１つまたは複数の実施形態においては、第１の端部止め具の角度の付いた面および第１の角度はそれぞれ、約２０〜４０°の間である。
【００３１】
いくつかの実装形態においては、スライダは、閉口端部から、離間した脚部間に延びているばねタブをさらに含む。セパレータプラウは、上部材から、脚部間の開口容量部へと延びている。スライダがセパレータプラウを連結部材間の位置へと選択的に移動させるように枢動するとき、ばねタブは、外形のうちの少なくとも一方の上部に当接して係合し、それにより、使用者は、ばねタブの力に打ち勝つように連続的な力をスライダに与えて、プラウを連結部材間に維持しなくてはならない。
【００３２】
ばねタブは、上部材から１５〜４０°、たとえば２０〜３５°の範囲で角度付けされ得る。
【００３３】
１つまたは複数の実施形態においては、ばねタブは、上部材から、離間した脚部の長さの２５％未満延びている。
【００３４】
別の態様においては、開口可能かつ再閉口可能な口部を有するジッパ付きの袋を操作する方法が提供される。この方法は、ジッパ付きの袋を用意するステップを含み、ジッパ付きの袋は、口部を形成する上部、底部、ならびに第１のおよび第２の向かい合う側面をそれぞれ有する第１のおよび第２のパネルと、連結および脱連結するための相補的外形を備えた連結部材を含む再閉口可能なジッパクロージャであって、一方の外形が、第１のパネルの上部に近接しており、他方の外形が、第２のパネルの上部に近接しており、相補的外形が、口部を閉口するように連結し、口部を開口するように脱連結し、ジッパクロージャが、第１の側面から一定距離、離間された切欠きを含む、ジッパクロージャと、ジッパクロージャに位置付けられたスライダであって、開口端部および反対側の閉口端部、上部材、ならびに上部材から垂下する１対の離間した脚部を有する、スライダとを有する。方法は、スライダを切欠きまで移動させることによって；スライダの開口端部から延びているセパレータプラウを連結部材間に位置決めするように、スライダの開口端部を切欠きに向かって枢動させることによって；およびプラウが連結部材間にあるようにしながら、スライダをジッパクロージャに沿って開口方向に移動させて、その結果、連結している外形を分離させることによって、口部を開口するステップをさらに含む。
【００３５】
例示的な方法においては、枢動させるステップは、脚部のうちの一方から延びている突起部をジッパクロージャの外部分にわたって移動させて、プラウが連結部材間の位置まで移動したという触覚表示を受け取るステップを含む。
【００３６】
いくつかの例示的な方法は、スライダをジッパクロージャに沿って切欠きに向かう方向に移動させることによって、口部を閉口するステップをさらに含む。
【００３７】
方法は、スライダを切欠きまで移動させることによって；ジッパクロージャの端部に位置決めされた端部止め具に当接するようにスライダの開口端部を係合することによって；および端部止め具を使用して、開口端部を切欠きから離して枢動させる枢動運動でスライダを誘導し、プラウを連結部材間から移動させることによって、スライダが口部を開口することができないようにするステップをさらに含むことができる。
【００３８】
いくつかの例示的な方法においては、スライダをジッパクロージャに設けるステップは、ばねタブが、閉口端部から、離間した脚部間に延び、ばねタブが、外形のうちの少なくとも一方の上部に対して力を加える、スライダを用意するステップを含む。スライダをジッパクロージャに沿って開口方向に移動させるステップは、ばねタブが外形のうちの少なくとも一方の上部に対して加える力に打ち勝つように連続的な力をスライダに与えて、プラウを連結部材間に維持するステップを含む。
【００３９】
望ましい製品機能または方法の様々な例については、後に続く説明に記載し、一部においては、説明から明らかになり、または本開示の様々な態様を実施することによって学ぶことができる。本開示の態様は、個々の機能ならびに機能の組合せに関することができる。前述の概括的な説明および次の詳細な説明はともに、単なる解説にすぎず、特許請求される本発明を限定するものではないことを理解されたい。
【図面の簡単な説明】
【００４０】
【図１】本開示の原理により構成された、再閉口可能なジッパクロージャ／スライダを有する可撓性パッケージの正面図である。
【図２】本開示の原理により構成された、図１のジッパクロージャとともに使用されるスライダの第１の実施形態の斜視図である。
【図３】図２のスライダの端面図である。
【図４】図２および図３のスライダの、図３の線Ａ−Ａに沿って取った断面図である。
【図５】図１の可撓性パッケージの、スライダがトラック間のプラウと係合してクロージャを開口することができる位置にあることを示す、正面図である。
【図６】ジッパクロージャを開口しているときのスライダを示す、図５のパッケージの上面図である。
【図７】図５の可撓性パッケージの、スライダがクロージャの端部にありクロージャが完全に開口している状態を示す、正面図である。
【図８】可撓性パッケージ、およびスライダを有するジッパクロージャシステムの第２の実施形態の正面図である。
【図９】スライダがクロージャを開口するための係合位置にあることを示す、図８の可撓性パッケージを示す図である。
【図１０】図８および図９の可撓性パッケージに使用される端部クリップのうちの１つの正面図である。
【図１１】図８および図９の可撓性パッケージの、スライダが図１０の端部クリップと接触していることを示す、正面図である。
【図１２】図８、図９、および図１１の可撓性パッケージの、スライダが脱係合または無効位置にあることを示す、正面図である。
【図１３】外形を示し、先の諸図のスライダとともに使用可能な、ジッパクロージャの１つの例示的な実施形態の斜視図である。
【図１４】スライダがクロージャを開口するための係合位置にあることを示す、図１の可撓性パッケージを示す図である。
【図１５】本開示の原理により構成された、図１のジッパクロージャとともに使用可能なスライダの第２の実施形態の斜視図である。
【図１６】図１５のスライダの左端面図である。
【図１７】図１５および図１６のスライダの、図１６の線Ａ−Ａに沿って取った断面図である。
【図１８】図１の可撓性パッケージに位置決めされている図１５のスライダの上面図である。
【図１９】図１８の可撓性パッケージの、スライダが脱係合または無効位置にあることを示す、正面図である。
【図２０】図１８および図１９の可撓性パッケージおよびスライダの、図１８の線Ａ−Ａに沿って取った断面図である。
【図２１】図１８の可撓性パッケージおよびスライダの、ただしスライダがクロージャを開口するための係合位置にあることを示す、上面図である。
【図２２】図２１の可撓性パッケージおよびスライダの、スライダが係合位置にある状態の、正面図である。
【図２３】図２１および図２２の可撓性パッケージおよびスライダの、図２１の線Ｂ−Ｂに沿って取った断面図である。
【発明を実施するための形態】
【００４１】
Ａ．  例示的なパッケージ封入体
図１は、可撓性パッケージ２０を含む、再閉口可能なポーチまたは袋の形態のパッケージング構成体の１つの例示的な実施形態である。パッケージ２０は、「対小児安全（ｃｈｉｌｄ  ｒｅｓｉｓｔａｎｔ）」であるプラスチックジッパクロージャ７の形態の再閉口可能なクロージャを有するプラスチック袋１０など、ポリマーパッケージとすることができる。「対小児安全」とは、クロージャに対して、低年齢の小児には開口が困難でありながら、大人および高齢者には開口が実行可能であることを意味する。一般に、国際的なおよび国家の対小児安全パッケージング試験協定では、月齢が５２カ月に満たない場合、その小児を低年齢と見なす。
【００４２】
また、ジッパクロージャ７を開口および閉口するためのスライダ１も図１に示されている。スライダ１は、さらに後述するように、対小児安全クロージャ７内にある。好ましくは、本明細書に説明するスライダ１は、単一のプラスチック片として成形されているが、多片のスライダを有することを含む多くの代替形態が可能である。
【００４３】
パッケージ２０は、多くの種々の構成体とすることができる。示されている例においては、パッケージ２０は、典型的には可撓性ポリマープラスチックフィルムから作製された、向かい合ったパネル区域１２、１３（図１３）を含む。いくつかの製造技法により、２つの側縁部８、９に沿って第１のおよび第２のパネル区域１２、１３をともに熱封止し（ｈｅａｔ  ｓｅａｌ）、折り目線１４で合わせて、パッケージ２０の内側の中に製品用の３辺縁取られた収納区域２８が形成される。
【００４４】
示されている実施形態においては、折り目線１４は、パッケージ２０の底縁部１６を含む。パッケージ２０の上縁部１９に沿って開いた口部１８（図６）を通して、パッケージの内側への出入りが可能である。この実施形態においては、口部１８は、側縁部８、９間のパッケージ２０の幅に延在する。口部１８は、底縁部１６の反対側にあると示されている。他の実施形態においては、パネル区域１２、１３は、側縁部８、９と同様に、底縁部１６に沿ってともに熱封止されていてもよい。多くの代替形態が可能である。たとえば、パッケージ２０は、側面、もしくは底部、またはその両方に沿って、ガセットを含んでいてもよい。
【００４５】
ジッパクロージャ７は、上縁部１９に沿って、図１の実施形態の例に示されている。他の実施形態においては、ジッパクロージャ７は、パッケージ２０の用途ニーズに応じて、パッケージ２０において、上縁部１９とは異なる場所に位置決めされることがあり得る。ジッパクロージャ７は、多くの種々のタイプのジッパクロージャとすることができる。１つの例においては、ジッパクロージャ７は、第１の連結部材３１（図６および図１３）、および第２の連結部材３２（図６および図１３）を含む、連結および脱連結するための相補的外形を有する。連結部材３１および連結部材３２は、相補的断面形状を有し、ともに押圧することによって閉口される。使用できる例示的な外形については、米国特許第５，４４２，８３８号、または米国特許第５，００７，１４３号に記載されており、それらはそれぞれ、参照により本明細書に組み込まれている。多くの代替形態が可能である。
【００４６】
ジッパクロージャ７は、切欠き２を含む。切欠き２は、典型的には、ジッパクロージャ７の端部の終端部または止め具３から、ならびにパッケージ２０の縁部８から一定距離、離間されることになる。さらに後述するように、切欠き２は、パッケージ２０の使用者がスライダ１の一部分を連結部材３１、３２間に位置決めすることができるように、および連結部材３１、３２を分離して口部１８を開口することができるように設けられる。
【００４７】
ジッパクロージャ７は、両端部に、終端部または端部止め具３、４を有する。終端部３はまた、側縁部８に沿っており、一方、終端部４は、側縁部９に沿っているが、端部終端部３、４は、必ずしも側縁部８、９にある必要はない。多くの種々のタイプの終端部が可能であり、この実施形態においては、終端部は、超音波圧搾または溶接された終端部によるものである。図８〜図１２の実施形態と併せて説明する可撓性クリップ１０３、１０４を含む他のタイプの終端部が使用可能である。可撓性クリップ１０３、１０４は、適切な挿入器具により自動的に、または手作業で、クロージャ外形５に取り付けることができる。端部クリップ１０３、１０４は、外形５の周りに巻かれ、超音波または熱によりその上に溶解される。可撓性クリップ１０３、１０４は、射出成形片であってもよい。
【００４８】
Ｂ．  スライダ１の例示的な実施形態
対小児安全スライダの第１の実施形態が、図２に参照数字１で示されている。スライダ１は、図１の対小児安全ジッパクロージャ７に摺動可能に位置付けられている。スライダ１は、開口端部３４、および反対側の閉口端部３６を含む。開口端部３４は、ジッパクロージャ７が図６の矢印３９で示されている開口方向に移動しているとき、後を辿るスライダ１の端部である。閉口端部３６は、スライダ１が図６の矢印３８で示されている閉口方向に移動しているとき、後を辿るスライダ１の端部である。さらに後述するように、トラック３１、３２を分離させるための構造体が開口端部３４にあり、トラック３１、３２をともに押圧するための構造体が閉口端部３６にある。
【００４９】
スライダ１は、上部材２１（図３）をさらに含む。１対の離間した脚部２２、２３（図３）が、上部材２１から垂下している。離間した脚部２２、２３は、脚部間に開口容量部４４（図３）を画定して、脚部２２、２３がトラック３１、３２をまたいでいる状態でトラック３１、３２が開口容量部４４の中を通過できるようにする。スライダ１は、スライダ１がジッパクロージャ７に沿って閉口方向３８（図６）に移動するにつれて、閉口端部３６の付近で、外形５を押圧して連結関係にするように、互いに十分に近づいて離間されている内面４６（図４）をさらに含む。内面４６は、脚部２２、２３の内面の一部とすることができ、また上部材２１の一部分を含めることもできる。
【００５０】
離間した脚部２２、２３は、様々な形状であってもよい。図２および図３に示されている例においては、離間した脚部２２、２３はそれぞれ、脚部２２、２３のそれぞれの自由端部に、内側容量部４４に向けて方向付けられたフック４８、５０を有する。フック４８、５０は、ジッパクロージャ７の外部分に係合して、スライダ１をジッパクロージャ７上の操作位置に保持する。１つの例示的な実施形態においては、フック４８、５０は、ジッパクロージャ７の下側肩部５２、５４（図１３）に係合して、スライダ１をジッパクロージャ７に保持することができる。
【００５１】
スライダ１は、セパレータプラウ２４をさらに含む。セパレータプラウ２４は、この実施形態においては、開口端部３４から延びている。セパレータプラウ２４は、脚部２２、２３から延びても、または上部材２１から延びてもよい。示されている例示的な実施形態においては、プラウ２４は、上部材２１から延びている。セパレータプラウ２４は、セパレータプラウ２４が連結部材３１と連結部材３２との間にある位置であって、スライダ１がジッパクロージャ７に沿って開口方向３９に移動するにつれて連結している外形５を分離させるような位置へと選択的に移動可能である。トラック３１、３２間のプラウ２４の位置決めは、スライダ１の開口端部３４を外形５に向かう方向に揺動または枢動させることによって行うことができる。
【００５２】
図２〜図４に注意を向ける。本開示の原理によれば、スライダ１は、突起部２５をさらに含む。図示の実施形態においては、突起部２５は、脚部２２、２３のうちの少なくとも一方から反対側の脚部２２、２３に向けて開口容量部４４へと延びている。図示の例においては、突起部２５は、脚部２２から脚部２３に向けて開口容量部４４へと延びている。突起部２５は、多くの種々の形状であってもよい。概して、突起部２５は、脚部２２から脚部２３まで延びるとともにクロージャ外形５を間に嵌め込むのに十分な余地を与える隆起部である。脚部２２、２３は、外形５を間に嵌めることができるように、互いに離れて偏向する。
【００５３】
図４に示されている例においては、突起部２５は、周縁部が三角形状である。突起部２５の三角形状の周縁部の基部５６は、スライダ１の開口端部３４と同一面にあるが、他の実施形態においては、他の場所にあってもよい。突起部２５の第１の側面５８（図４）は、スライダ１の底縁部６０と略平行である。突起部２５の第２の側面６２は、開口端部３４から一定の角度で下向きに、尖頂部６４で第１の側面５８とつながるまで底縁部６０に向かう方向に延びている。尖頂部６４は、この例示的な実施形態においては、開口端部３４と閉口端部３６との間の、スライダ１の全長の半分を越えた点に位置付けられているが、閉口端部３６まで延びるには及ばない。この実施形態においては、尖頂部６４は、開口端部３４と閉口端部３６との間の、スライダ１の全長の５０％から７５％の間にある。多くの実施形態が可能である。
【００５４】
突起部２５は脚部２２において示されているが、他の実施形態においては、突起部２５は、脚部２３に、またはいくつかの場合においては、脚部２２と２３の両方に設けられてもよいことを理解すべきである。
【００５５】
本開示の原理によれば、脚部２２、２３のうちの少なくとも一方は、第１のトラック収容溝４１および第２のトラック収容溝４２を有する。図４においては、脚部２２は、溝４１、４２を画定し、この溝４１、４２は、開口容量部４４に対して開口し、反対側の脚部２３に面している。図４においてわかり得るように、溝４１および４２は、突起部２５によって分離されている。下記の説明から明らかになるように、溝４１、４２は、それぞれの内部にクロージャ外形５を収容するのに十分な幅である。たとえば、スライダ１がトラック３１、３２を分離させる位置にあるとき、クロージャ外形５は、第１の溝４１内に摺動可能に位置決めされ、スライダ１がトラック３１、３２を分離できないように無効にされているとき、クロージャ外形５は、第２の溝４２内に摺動可能に位置決めされる。
【００５６】
第１のトラック収容溝４１および第２のトラック収容溝４２は、角度αで互いに対して角度付けされている。角度αは、０°よりも大きく９０°よりも小さくなる。多くの例においては、角度αは、１０〜６０°の間、多くの実施形態においては、角度αは、２０〜４０°の間である。図示の例示的な実施形態においては、これはまた、突起部２５の第２の側面６２と第１の側面５８との間と同じ角度であるが、突起部２５が他の形状である他の実施形態においては、第２の側面６２と第１の側面５８との間の角度は、異なっていてもよい。
【００５７】
Ｃ．  スライダ２００の例示的な実施形態
対小児安全スライダの第２の実施形態が、図１５〜図２３に２００で示されている。スライダ２００は、スライダ１と同様の機能を有する。スライダ１に使用された、スライダ２００の共通の参照数字については、同じ説明であり、ここでは繰り返さない。むしろ、スライダ２００の実施形態の次の説明は、スライダ１との違いについて着目する。
【００５８】
スライダ２００は、突起部２５、またはトラック収容溝４１、４２を含まない。そうではなく、本開示の原理によれば、スライダ２００は、ばねタブ２０２を含む。ばねタブ２０２は、概して、スライダ２００の閉口端部３６から延びる。
【００５９】
図１５および図１７の実施形態においては、ばねタブ２０２は、上部材２１から、脚部２２、２３間の開口容量部４４へと延びて示されている。この実施形態は、ばねタブ２０２を、上部材２１から延びているように示しているが、他の実施形態においては、ばねタブ２０２はまた、脚部２２、２３のうちの一方から延びていることもあり得る。
【００６０】
ばねタブ２０２は、上部材２１から角度α（図１７）で角度付けされているように示されている。角度αは、少なくとも１５°、４０°以下、多くの場合２０〜３５°の範囲とすることができる。ばねタブ２０２は、弾性的可撓性を可能にする材料から作製されており、それにより、タブ２０２は、力を受けているときは、上部材２１に向かう方向に、自然な位置から偏向または湾曲することができ（その自然な位置は、上部材２１から角度αで角度付けされた、図１７に示されている位置である）、力を受けていない場合は、ばねタブ２０２は、図１７に示されているその自然で、偏向していない位置へと戻る。典型的には、ばねタブ２０２は、スライダ２００の残りの部分と同じ材料から作製された成形プラスチックである。他の実施形態においては、ばねタブ２０２は、ばね金属など、他の材料、またはスライダ２００の残りとは異なる材料であってもよい。
【００６１】
ばねタブ２０２は、脚部２２、２３に沿って上部材２１から離れる軸方向に延びる長さを有する。脚部２２、２３に沿って軸方向に延びているばねタブ２０２の長さは、脚部２２、２３のいずれかの全長よりも短く、典型的には、脚部２２、２３の長さの７５％未満になる。多くの場合においては、ばねタブ２０２は、脚部２２、２３の長さの６６％未満になる。
【００６２】
この実施形態においては、上部材２１は、略平坦で平面的である。セパレータプラウ２４は、スライダの開口端部３４から延びる。この実施形態においては、セパレータプラウ２４は、上部材２１から開口容量部４４へと延びている。他の実施形態においては、セパレータプラウ２４は、脚部２２、２３のうちの一方から延びていることもあり得る。
【００６３】
脚部２２、２３はそれぞれ、ばねタブ２０２およびプラウ２４を含む、スライダ２００の内部構成要素を目で視認することを可能にするための開口部または窓２０４を有する。窓２０４を使用すると、使用者は、プラウ２４およびばねタブ２０２の場所がわかるようになり得る。
【００６４】
スライダ２００を例示的なクロージャシステムとともに使用することについては、下記にさらに説明する。
【００６５】
Ｄ．  例示的なクロージャシステム
上述したように、スライダ１は、先に説明したジッパクロージャ７およびパッケージ２０とともに使用可能である。スライダ１は、脚部２２、２３が連結部材３１および連結部材３２を含むクロージャ外形５をまたいでいる状態で、ジッパクロージャ７に摺動可能に位置付けられている。図１においては、スライダ１は、ジッパクロージャ７に、スライダ１がジッパクロージャ７を開口することができないように無効にされている位置で位置付けられている。図５においては、スライダ１は、スライダ１が連結部材３１および連結部材３２を分離してジッパ７を開口することができるように操作位置で位置付けられている。
【００６６】
具体的には、図１においては、スライダ１のプラウ２４は、トラック３１、３２間の位置の外側にあり、一方、図５においては、プラウ２４は、連結部材３１と連結部材３２との間の位置にある。スライダ１は、図１の位置と図５の位置との間で揺動可能または枢動可能であり、突起部２５は、これらの２つの位置間に達するように打ち勝たなくてはならない。
【００６７】
多くの実施形態が可能であり、図示の構成においては、セパレータプラウ２４は、スライダ１の開口端部３４を切欠き２に向かう方向でパッケージ２０の底縁部１６に向かう方向に下向きに枢動させることによって口部１８を開口することができる操作位置にスライダ１を置くように、連結部材３１と連結部材３２との間に位置決めされ得る。クロージャ外形５を分離させることができる操作位置にスライダ１を位置決めすることにより、クロージャ外形５は、第２の溝４２から第１の溝４１に移動する。
【００６８】
トラック３１、３２の分離を防止するように、セパレータプラウ２４を連結部材３１および連結部材３２の外側の位置に位置決めするためには、スライダ１を、スライダ１の開口端部３４を切欠き２から離しパッケージ２０の底縁部１６から離す方向でトラック３１、３２の外側に移動させるように揺動または枢動して、スライダ１を、スライダ１の底縁部６０がクロージャ外形５に略平行な状態の図１に示されている位置に戻す。この位置においては、スライダ１は、無効にされ、クロージャ外形５を分離させることができない。この無効にされた位置にスライダ１を位置決めすることにより、クロージャ外形５は、第１の溝４１から第２の溝４２に移動する。
【００６９】
スライダ１がセパレータプラウ２４を連結部材３１と連結部材３２との間の位置へと、または連結部材３１と連結部材３２との間の位置から外へと移動させるように枢動させるとき、突起部２５は、セパレータプラウ２４の変更した位置の触覚表示を与えるように、クロージャ外形５の外部分に当接して係合することになる。脚部２２、２３を外向きに撓ませ、戻すことから生じるこの触覚表示は、プラウ２４が開口位置から非開口（無効）位置におよび非開口（無効）位置から開口位置に移動したときに、合図を使用者に与える。
【００７０】
スライダ１が無効位置にあり、それにより、プラウ２４が連結部材３１と連結部材３２との間にないとき、クロージャ外形５を第２の溝４２内に収容して、プラウ２４がクロージャ外形５の雄トラック３１と雌トラック３２との間になくても外形５を溝４２内で摺動させることが可能になる。無効位置においては、スライダ１は、口部１８を閉口する、または口部１８を閉口のまま維持することができるが、クロージャ外形５を分離して口部１８を開口することはできない。図１４は、端部止め具３を用いて、開口端部３４を切欠き２から離して枢動させる枢動運動でスライダ１を誘導し、プラウ２４を連結部材３１と連結部材３２との間から移動させることによって、スライダ１の使用を脱係合するステップを示している。このことは、スライダ１の開口端部３４を端部止め具３に当接して直接接触させ、スライダ１を端部止め具３に対して摺動させることによって行われる。
【００７１】
スライダ１が開口（操作）位置にあるとき（図５）、プラウ２４は、連結部材３１と連結部材３２との間に移動し、雄トラック３１および雌トラック３２は、スライダ１の第１の溝４１内で摺動する。開口／操作位置にあるとき、スライダ１は、スライダ１が、連結されたトラック３１、３２を分離させることによって開口方向３９（図６）に移動するにつれて、口部１８を開口することができ、スライダ１が、閉口方向３８（図６）にジッパクロージャ７に沿って移動するにつれて、トラック３１、３２を連結することによって口部１８を閉口することができる。
【００７２】
ジッパ付きパッケージ２０を操作する図１〜図７の実施形態については、スライダ１は、切欠き２に移動し、スライダ１は、開口端部３４を切欠き２に向かって枢動させることによってロックされて、セパレータプラウ２４が連結部材３１と連結部材３２との間に位置決めされる。次いで、スライダ１は、プラウ２４が連結部材３１と３２との間に位置決めされている状態でジッパクロージャ７に沿って開口方向３９に移動して、その結果、クロージャ外形５が分離されることになる。口部１８は、スライダ１を切欠き２に向かう閉口方向３８に、開口方向とは反対側の方向に、ジッパクロージャ７に沿って移動させることによって閉口される。
【００７３】
スライダ１は、スライダ１を切欠き２に移動させるとともにスライダ１を枢動させて、開口端部３４を切欠き２から離して移動させ、連結部材３１と連結部材３２との間からプラウ２４を移動させることによって、口部１８を開口できないように無効にされ得る。
【００７４】
図８〜図１１の実施形態においては、可撓性パッケージ１２０が、クロージャ１０７とともに示されている。この実施形態においては、クロージャ１０７の両端部は、先に説明したように、可撓性クリップ１０３、１０４の形態の端部止め具を含む。
【００７５】
スライダ１０１は、スライダ１と同じ方式で構成されているが、他の実施形態においては、相異なる端部止め具１０３、１０４に適合するようにスライダ１とは異なる内部構成を有してもよい。
【００７６】
図１０は、切欠き２に最も近いクリップである端部クリップ１０３の拡大図である。端部クリップ１０３は、上端部１２８、外側縁部１２９、底縁部１３０、および内側縁部１３１を有する。外側縁部１２９は、パッケージ１２０の側縁部８と略同一面にある縁部であり（ただし、側縁部８と同一面にある必要はない）、一方、内側縁部１３１は、ジッパクロージャ１０７の残りに面している縁部である。上縁部１２８と内側縁部１３１との間に、面取り部または角度の付いた面１２７が延びている。角度の付いた面１２７は、上端部１２８から下向きの方向で、パッケージ１２０の反対側の側縁部９に向かう略方向にクロージャ外形５に向かう方向で延びている。角度の付いた面１２７は、使用者が、スライダ１０１を、クロージャ外形５から離れる上向きの方向に移動させてジッパクロージャ７から脱係合するように位置決めするのに役立つ。
【００７７】
図８は、クロージャ１０７を開口できないように脱係合された位置にあるスライダ１０１を示している。図９においては、係合位置にあるスライダ１０１が示されており、スライダ１０１の開口端部３４は、切欠き２に向かって枢動している。図９の位置においては、プラウ２４は、連結部材３１と連結部材３２との間にある。図９の係合位置にあるスライダ１０１は、開口方向３９に移動するとき、連結部材３１を連結部材３２から分離させることになる。
【００７８】
図１１においては、スライダ１０１は、端部クリップ１０３に当接して係合し、クロージャ１０７を開口することができないようスライダ１０１を脱係合するように移動している。スライダ１０１は、スライダ１０１の開口端部３４が端部クリップ１０３の角度の付いた面１２７に当接して押圧されながら、上向きの方向１３７に移動する。
【００７９】
図１２においては、スライダ１０１は、枢動運動を完了し、脱係合位置に到達している。諸図に示されている特定の例におけるこの位置では、スライダ１０１の上部材１２１は水平であり、このとき、ジッパクロージャ１０７はやはり水平な平面に沿っている。この位置で上部材１２１が必ずしも水平であるとは限らないスライダ１０１の他の実施形態が可能である。スライダ１０１は、まず切欠き２とぴったり並べられ、開口端部３４を下向きに揺動して（図９）、プラウ２４を連結部材３１と連結部材３２との間に挿入することによって外形５に再係合して、クロージャ１０７を再開口しない限り、開口方向３９または閉口方向３８に摺動するとき、クロージャ１０７を開口することはできない。
【００８０】
上述したように、スライダ２００は、先に説明したジッパクロージャ７およびパッケージ２０とともに使用可能である。図１８〜図２０においては、スライダ２００は、ジッパクロージャ７に、スライダ２００がジッパクロージャ７を開口できないように無効にされている位置で位置付けられている。図２１〜図２３においては、スライダ２００は、係合または操作位置で位置付けられて、スライダ２００が、連結部材３１および３２を分離させてジッパ７を開口することが可能になる。
【００８１】
図１８〜図２０においては、スライダ２００のプラウ２４は、トラック３１、３２間の位置の外側にあり、一方、図２１〜図２３においては、プラウ２４は、連結部材３１と連結部材３２との間の位置にある。ばねタブ２０２は、クロージャ外形５のうちの少なくとも一方、いくつかの場合にはその両方の上部に当接して係合する。図２１〜図２３においては、ばねタブ２０２は、クロージャ外形５に当接して係合したその偏向位置で見ることができる。
【００８２】
図１８〜図２０においては、スライダ２００は、プラウ２４が連結部材３１、３２の外側にある状態で位置決めされ、スライダ２００を閉口方向３８（図１９）に移動させることによって、ジッパクロージャ７を閉口するように使用され得る。図２２においては、スライダ２００は、プラウ２４が連結部材３１、３２間にある状態で係合位置にあり、開口方向３９に移動して、ジッパ７を開口するように連結部材３１、３２を脱係合することができる。
【００８３】
スライダ２００は、図１８〜図２０の無効または脱係合位置から、スライダ２００を揺動または枢動させることによって図２１〜図２３の係合または操作位置に移動し、それにより、プラウ２４は、連結部材３１、３２間を移動することになる。図１８〜図２３の示されている実施形態においては、上部材２１は、ジッパクロージャ７に略平行である位置から、角度付けされた位置に枢動し、それにより、開口端部３４は、閉口端部３６よりもジッパクロージャ７の近くに位置決めされることになる。このようにして、上部材２１は、開口端部３４から閉口端部３６まで延びるにつれて、ゼロでない角度で角度付けされている。このゼロでない角度は、少なくとも５°、９０°以下とすることができ、典型的には１５〜３０°とすることができる。
【００８４】
スライダ２００がセパレータプラウ２４を連結部材３１、３２間の位置に選択的に移動させるように枢動するとき、ばねタブ２０２は、外形５のうちの少なくとも一方の上部に当接して係合し、それにより、使用者は、ばねタブ２０２の力に打ち勝つように連続的な力をスライダ２００に与えて、プラウ２４を連結部材３１、３２間に維持しなくてはならない。使用者がプラウ２４を連結部材３１、３２間の係合位置に維持するための連続的な力を与えない場合、ばねタブ２０２は、スライダ２００を図１８〜図２０の位置まで押し、プラウ２４を部材３１、３２間の係合から外へと移動させることになる。
【００８５】
Ｅ．  例示的な方法
パッケージ２０、１２０などのジッパ付きの袋を操作する方法は、連結および脱連結するための連結部材３１および連結部材３２を備えた再閉口可能なジッパクロージャ７、１０７を有する袋２０、１２０を用意するステップを含む。クロージャ７、１０７は、第１の側面８から一定距離、離間された切欠き２を含む。スライダ１、１０１、２００は、ジッパクロージャ７、１０７に位置付けられている。クロージャ７、１０７の口部１８は、スライダ１、１０１、２００を切欠き２に移動させることによって開口され得る。
【００８６】
次に、スライダ１、１０１、２００の開口端部３４が切欠き２に向かって移動して、上部材２１、１２１から延びるセパレータプラウ２４を連結部材３１と連結部材３２との間に位置決めするように、スライダ１、１０１、２００を揺動または枢動させるステップが存在する。
【００８７】
プラウ２４が雄連結部材３１と雌連結部材３２との間にあるようにしながら、スライダ１、１０１、２００をジッパクロージャ７、１０７に沿って開口方向３９に移動させて、結果的に連結している外形３１、３２を分離させるステップが存在する。
【００８８】
スライダ１、１０１を枢動させるステップは、突起部２５をクロージャ外形５の外部分にわたって移動させて、プラウ２４が連結部材３１と連結部材３２との間の位置に移動したという触覚表示を受け取るステップを含む。触覚表示は、脚部２２、２３を外向きに撓ませ、戻す感覚からのものである。このステップはまた、クロージャ外形５を第２の溝４２から第１の溝４１に位置決めし直すように、スライダ１、１０１を移動させるステップも含むことができる。
【００８９】
方法は、スライダ１、１０１、２００をジッパクロージャ７、１０７に沿って切欠き２に向かう閉口方向３８に移動させることによって、口部１８を閉口するステップをさらに含む。このステップは、ジッパクロージャ７、１０７の外側壁に当接するスライダ１、１０１の内面４６を押圧して、連結部材３１および連結部材３２をともに連結係合部において押圧するステップを含む。
【００９０】
方法は、スライダ１、１０１、２００を切欠き２に移動させ、スライダ１、１０１を揺動または枢動させて、開口端部３４を切欠き２から上向きに離れる方向１３７に移動させながら、スライダ１、１０１の閉口端部３６をクロージャ外形５に向かう方向に移動させることによって、口部を開口できないようにスライダ１、１０１、２００を無効にするステップを含む。
【００９１】
スライダ１、１０１、２００を無効にするステップは、ジッパクロージャ７、１０７の端部に位置決めされた端部止め具３または端部クリップ１０３に当接してスライダ１、１０１、２００の開口端部３４を係合するステップを含むことができる。端部止め具３、または端部クリップ１０３は、開口端部３４を切欠き２から離して枢動させる枢動運動でスライダ１、１０１、２００を誘導し、プラウ２４を連結部材３１と連結部材３２との間から移動させるのに使用され得る。
【００９２】
方法は、閉口端部３６から延びているばねタブ２０２を有するスライダ２００を使用するステップを含むことができる。ばねタブ２０２は、外形５のうちの少なくとも一方の上部に対して力を加えることになる。スライダ２００をジッパクロージャ７、１０７に沿って開口方向に移動させるステップは、ばねタブ２０２が外形５のうちの少なくとも一方の上部に対して加える力に打ち勝つように連続的な力をスライダ２００に与えて、プラウ２４を連結部材３１、３２間に維持するステップを含む。
【００９３】
上記では、例示的な原理について示している。多くの実施形態が、これらの原理を使用して作成され得る。
【符号の説明】
【００９４】
１  スライダ
２  切欠き
３  終端部、止め具、端部止め具、端部終端部
４  終端部、端部止め具、端部終端部
５  クロージャ外形、外形、連結している外形
７  プラスチックジッパクロージャ、対小児安全クロージャ、ジッパクロージャ、ジッパ、クロージャ
８  側縁部、第１の側面
９  側縁部
１０  プラスチック袋
１２  パネル区域
１３  パネル区域
１４  折り目線
１６  パッケージの底縁部
１８  口部
１９  パッケージの上縁部
２０  可撓性パッケージ、パッケージ、ジッパパッケージ、袋
２１  上部材
２２  脚部
２３  脚部
２４  セパレータプラウ、プラウ
２５  突起部
２８  収納区域
３１  第１の連結部材、連結部材、トラック、雄トラック、雄連結部材、連結外形
３２  第２の連結部材、連結部材、トラック、雌トラック、雌連結部材、連結外形
３４  開口端部
３６  閉口端部
３８  矢印、閉口方向
３９  矢印、開口方向
４１  第１のトラック収容溝、溝、第１の溝
４２  第２のトラック収容溝、溝、第２の溝
４４  開口容量部、内側容量部
４６  内面
４８  フック
５０  フック
５２  下側肩部
５４  下側肩部
５６  基部
５８  第１の側面
６０  スライダの底縁部
６２  第２の側面
６４  尖頂部
１０１  スライダ
１０３  可撓性クリップ、端部クリップ
１０４  可撓性クリップ、端部クリップ
１０７  ジッパクロージャ、クロージャ
１２０  可撓性パッケージ、パッケージ、袋
１２１  上部材
１２７  面取り部または角度の付いた面
１２８  上端部、上縁部
１２９  外側縁部
１３０  底縁部
１３１  内側縁部
１３７  上向きの方向
２００  スライダ
２０２  ばねタブ
２０４  開口部または窓
α  角度
【図１】
2021529594.tif 000003
【図２】
2021529594.tif 000004
【図３】
2021529594.tif 000005
【図４】
2021529594.tif 000006
【図５】
2021529594.tif 000007
【図６】
2021529594.tif 000008
【図７】
2021529594.tif 000009
【図８】
2021529594.tif 000010
【図９】
2021529594.tif 000011
【図１０】
2021529594.tif 000012
【図１１】
2021529594.tif 000013
【図１２】
2021529594.tif 000014
【図１３】
2021529594.tif 000015
【図１４】
2021529594.tif 000016
【図１５】
2021529594.tif 000017
【図１６】
2021529594.tif 000018
【図１７】
2021529594.tif 000019
【図１８】
2021529594.tif 000020
【図１９】
2021529594.tif 000021
【図２０】
2021529594.tif 000022
【図２１】
2021529594.tif 000023
【図２２】
2021529594.tif 000024
【図２３】
2021529594.tif 000025
【国際調査報告】
2021529594.tif 000026
2021529594.tif 000027